(57)【要約】【課題】コレクタから刈草を排出する際のハイダンプ動作の作業能率を向上するとともに誤操作を防止することができるモーアコレクタ装置を提供する。【解決手段】モーアコレクタ装置１は、モーアトラクタＡの機体後部に設けられて刈草を収容するコレクタ５と、このコレクタをリフト動作用レバー９の操作によってリフト動作させるとともに、ダンプ動作用レバー８の操作によってコレクタ５をダンプ動作させるリンク機構２５，２６，２７とを備えて構成され、上記コレクタ５には、その所定の低リフト範囲についてダンプ動作用レバー８を拘束するロック部材１３を設ける。【選択図】図２
2005102587.tif 000002
【特許請求の範囲】
【請求項１】
モーアトラクタ（Ａ）の機体後部に設けられて刈草を収容するコレクタ（５）と、このコレクタ（５）をリフト動作用レバー（８）の操作によってリフト動作させるとともに、ダンプ動作用レバー（９）の操作によってコレクタ（５）をダンプ動作させるリンク機構（２５，２６，２７）とを備えるモーアコレクタ装置において、
上記コレクタ（５）には、その所定の低リフト範囲についてダンプ動作用レバー（８）を拘束するロック部材（１３）を備えることを特徴とするモーアコレクタ装置。
【発明の詳細な説明】
【技術分野】
【０００１】
本発明は、モーアトラクタ後部でコレクタのハイダンプ動作により刈草を排出するモーアコレクタ装置に関するものであり、特に、ハイダンプ動作の作業能率の向上とともに誤操作を防止しうるモーアコレクタ装置に関するものである。
【背景技術】
【０００２】
特許文献１の例のように、モーアトラクタ後部でハイダンプ動作して高位置に刈草を排出するモーアコレクタ装置が知られている。モーアトラクタ後部には、リフトリンクを介してリフト可能にコレクタを備え、このコレクタにダンプ機構を備える。トラックに刈草を積込む場合は、操作レバーをリフトポジションにシフト操作することによってトラックの荷台の上方位置までコレクタをリフトし、次いで、ダンプポジションにレバーをシフト操作することによってコレクタをダンプ動作させる。この一連のレバー操作により、コレクタがハイダンプ動作することから、高位置にあるトラックの荷台等に刈草を積込むことができる。
【０００３】
しかし、上記リフト動作とダンプ動作は、単一のレバーのポジション切替によって操作していることから、リフト動作の途中からダンプ動作を開始することができず、リフト動作の終了の後にダンプ動作することとなるので、刈草の積込みに時間を要するという問題がある。この問題を解決するためには、リフト動作とダンプ動作のそれぞれのレバーを設けることにより、リフト動作の終了を待たずに、リフト動作中にダンプ動作を開始することができる。しかし、レバー操作の自由度により、ダンプ操作のタイミングが早すぎた場合は、リフト直後でコレクタがまだ低い位置で刈草が排出され、また誤操作等により、リフト動作しないままダンプ動作させることによりオペレータの身体上の危険を招くこととなる。
【特許文献１】特開２００３−１６９５１９号公報
【発明の開示】
【発明が解決しようとする課題】
【０００４】
解決しようとする問題点は、コレクタから刈草を排出する際のハイダンプ動作の作業能率を向上するとともに誤操作を防止することができるモーアコレクタ装置を提供することにある。
【課題を解決するための手段】
【０００５】
請求項１に係る発明は、モーアトラクタの機体後部に設けられて刈草を収容するコレクタと、このコレクタをリフト動作用レバーの操作によってリフト動作させるとともに、ダンプ動作用レバーの操作によってコレクタをダンプ動作させるリンク機構とを備えるモーアコレクタ装置において、上記コレクタには、その所定の低リフト範囲についてダンプ動作用レバーを拘束するロック部材を備えることを特徴とする。
【発明の効果】
【０００６】
本発明のモーアコレクタ装置は、コレクタが所定範囲の低位置にあると、ロック部材によってダンプ動作用レバーが拘束されるので、ダンプ動作用レバーの操作タイミングが早すぎた場合、または、リフト操作なしにダンプ操作した場合におけるコレクタのダンプ動作を回避することができる。また、リフト動作用レバーによって所定の高さを越える範囲までコレクタをリフト動作させるとダンプ動作用レバーの拘束が解除されるので、リフト動作の途中からダンプ動作用レバーを操作することによりコレクタのダンプ動作を開始することができる。したがって、低位置における不用意なダンプ動作を回避して安全を確保しつつ、能率良くハイダンプ動作して刈草をトラック等に積み込むことができる。
【発明を実施するための最良の形態】
【０００７】
上記技術思想に基づき具体的に構成された実施の形態について以下に図面を参照しつつ説明する。
【０００８】
モーアコレクタ装置１は、図１の側面図に示すように、前輪２と後輪３の間にモーア装置４を備えたモーアトラクタＡの後部に、シュータ４ａと接してハイダンプ可能に取付けたコレクタ５とハイダンプ用のリンク２５，２６，２７、運転席７の脇のリフトとダンプ用のレバー８，９等により構成される。レバー８，９はリンク２５，２６，２７の傾動を油圧制御するバルブブロック１１と連結し、また、ダンプ動作用のレバー８には、動作規制用のロック部材１３を設ける。ダンプ動作用レバー８は、拡大平面図とその側面図を図２（ａ）（ｂ）にそれぞれ示すように、後方への傾動操作と対応してダンプ動作する向きに配置する。ロック部材１３は、ばね１３ａとストッパ１３ｂとによっ所定位置に弾性復帰するべく進退可能に支持したロッドである。このロック部材１３をダンプ動作用レバー８のアタッチメント８ａとその後方で集草ポジション位置のコレクタ５のフレーム５ａとの間に挟むように配置する。
【０００９】
上記構成のモーアコレクタ装置１は、コレクタ５が所定の低位置にあると、ロック部材１３が干渉してダンプ動作用レバー８がロックされるので、ダンプ動作用レバー８の操作タイミングが早すぎた場合、または、リフト操作なしにダンプ操作した場合に、コレクタ５のダンプ動作を回避することができる。また、リフト動作用レバー９の操作によって所定の高さを越える範囲までコレクタ５をリフト動作させるとダンプ動作用レバー８のロックが解除されるので、リフト動作の途中において、ダンプ動作用レバー８の操作によってコレクタ５のダンプ動作が開始されることから、能率良くハイダンプ動作して刈草を排出し、トラック等の高位側に積み込むことができる。
【００１０】
モーアコレクタ装置のコレクタリンク機構２０の側面図を図３に示す。図３において、括弧付き符号により、各部材のリフト位置を示す。また、以下において、前記同様の部材はその符号を付すことによって説明を省略する。
コレクタリンク機構２０は、モーアトラクタＡの機体後部に立設した左右の支柱２１，２１の上部にそれぞれブラケット２０ａ，２０ａを介して上支軸２３、２３と下支軸２４、２４を上下に離して設け、上支軸２３に上リンク２５を、下支軸２４に下リンク２６をそれぞれの一端において軸支し、双方の他端を左右それぞれ支持リンク２７、２７で連結することにより構成される。
【００１１】
下リンク２６には上下に回動駆動するためのリフト用シリンダ３１を設け、上リンク２５と下リンク２６の間に、両者間の接近を規制するストッパ３２を設ける。支持リンク２７は、その中間部にコレクタ５の重心位置より後方低位に設けた左右の支軸３３を軸支し、かつ、上方に延びる延長部３４の上端にコレクタ５を回動するダンプ用シリンダ３５を連結する。また、コレクタ５の上部に支軸３６を設けてカバー３７を開閉可能に軸支し、このカバー３７に左右の開閉リンク３８，３８を取付けて支持リンク２７の上端に連結する。
【００１２】
上記構成のコレクタリンク機構２０は、上リンク２５の長さを下リンク２６より僅かに長く構成し、平行リンクに準じた準平行リンクとすることにより、リフト用シリンダ３１の伸張によって上昇したリフト位置で支持リンク２７が所定角度まで後傾するので、コレクタ５の前部開口からの刈草の脱落を防止することができる。また、ストッパ３２により、支持リンク２７の支点越えを防止してコレクタ５の後方ダンプ動作の安定性を確保することができる。すなわち、コレクタ５のダンプ動作の側面図を図４に示すように、リフト位置において、上リンク２５の上端支点２５ａの直線距離Ｌ１が下リンク２６の支点距離Ｌ２と支持リンク２７の支点距離Ｌ３の和に近くなることから、ダンプ用シリンダ３５の伸張によってダンプ位置までコレクタ５が回動した際に、その重心が支軸３３の後方に移動して支持リンク２７が過大なモーメントを受けると支点越えを招くことがあるが、ストッパ３２によって支点越えを防止して支持リンク２７の姿勢が保持されるので、安定してコレクタ５のダンプ動作が可能となる。
【００１３】
左右の下リンク２６、２６の基部にはリフト位置に角度固定するためのリフト固定部４１をそれぞれ備え、また、支柱２１，２１に設けた左右ののブラケット２１ａ，２１ａには、所定の固定ロッド４２が左右挿通可能な通孔４３，４４を上下２段に形成する。一方の通孔４３は、リフト状態においてリフト固定部４１を固定ロッド４２で挿通支持する位置に配置する。他方の通孔４４は、リフト固定部４１と干渉することなく固定ロッド４２を保持可能な位置に配置する。固定ロッド４２は、図５の着脱操作平面図に示すように、抜け止ピン４２ａを備えて一端をＬ字状またはＵ字状に屈曲したグリップ部４２ｂを形成する。モーアコレクタ装置のメンテナンスに際しては、コレクタ５をリフト位置にリフトした後、固定ロッド４２を通孔４３に挿通してコレクタリンク機構２０をロックすることができ、また、草が詰まった時は、固定ロッド４２を通孔４４から取り出して草の掻き出しに使用することができる。
【００１４】
また、左右の支柱２１，２１は、図６の着脱操作側面図に示すように、上下を開口した角パイプによって形成し、上述の固定ロッド４２と同様の掻出ロッド４５を着脱可能に差し込んで構成する。掻出ロッド４５は、支柱２１の中空部から取り出して草の掻き出しに使用することができるので、草詰まりに際して迅速に対処することができる。
【００１５】
コレクタの上部に設けたカバー３７は、図３におけるＡ−Ａ線拡大断面図を図７に示すように、左右のカバーフレーム３７ａ，３７ａの両外側の左右の開閉リンク３８の連結位置にテーパ部材４８，４８を設ける。このテーパ部材４８，４８には、開閉リンク３８の支軸３８ａを左右に突設し、また、内側にコレクタ５に対する幅方向の位置決め案内のための傾斜部４９を形成する。この左右の傾斜部４９，４９により、カバー３７が左右方向にずれを生じていても、カバー３７が閉じる際にコレクタ５の上部側縁によって所定の位置に案内される。
【００１６】
前面排出型のコレクタ５１は、前面排出ダンプ動作の側面図を図８に示すように、その高さ寸法Ａが機体側のシュータ４ａの開口高さＣより大きく構成するとともに、左右の支柱５２，５２の上端に設けた支軸５３，５３によって軸支することにより、前面排出ダンプ動作可能に構成する。コレクタ５１の前面５１ａ側には、シュータ４ａの開口高さＣより大きい高さＢの開口を形成する。この開口の上部に支軸５４を設けて可動パネル５５を軸支し、この可動パネル５５は、閉止時にシュータ４ａの開口高さＣまでの寸法に形成し、かつ、自重で開閉可能に構成する。
【００１７】
上記構成のコレクタ５１は、可動パネル５５が開放すると、シュータ４ａの開口高さＣより大きな開口高さＢを確保することができ、また、閉止すると、シュータ４ａの高さＣの開口が確保される。したがって、モーアトラクタによる刈草走行の際は、コレクタ５１が刈草を収容する装着位置において、可動パネル５５が閉じてシュータ４ａから刈草が漏れることなく、大容量のコレクタ５内に刈草を収容することができる。また、刈草を排出する際は、ダンプ位置において可動パネル５５が開くので、コレクタ５内の刈草が高さＢの大きな開口を介して能率良く排出される。
【００１８】
したがって、例えば、シュータ４ａの開口高さＣがコレクタの高さＡの２／３の場合において、シュータ４ａと対応する開口を形成した従来のコレクタでは、比較的小さな開口が障害となって満杯の刈草が排出できないことがあったが、上記構成の場合は可動パネル５５が開くことにより、例えば、コレクタの高さＡの６／７に及ぶ比較的大きな開口が可能となることから、開口が障害となることなく、満杯の刈草を速やかに排出することができる。
【産業上の利用可能性】
【００１９】
モーアコレクタ装置のコレクタから刈草を排出する際に、ハイダンプ動作の作業能率を向上するとともに誤操作を防止することができる。
【図面の簡単な説明】
【００２０】
【図１】本発明のモーアコレクタ装置を備えるモーアトラクタの側面図である。
【図２】ロック部の拡大平面図（ａ）と拡大側面図（ｂ）である。
【図３】コレクタリンク機構の側面図である。
【図４】コレクタのダンプ動作の側面図である。
【図５】固定ロッドの着脱操作平面図である。
【図６】掻出ロッドの着脱操作側面図である。
【図７】図３におけるＡ−Ａ線拡大断面図である。
【図８】前面排出ダンプ動作の側面図である。
【符号の説明】
【００２１】
１    モーアコレクタ装置
４    モーア装置
４ａ    シュータ
５    コレクタ
５ａ    フレーム
６    シリンダ
８    ダンプ動作用レバー
９    リフト動作用レバー
１１    バルブブロック
１３ｂ    ストッパ
１３    ロック部材
２０    コレクタリンク機構
２１    支柱
２１ａ    ブラケット
２５    上リンク
２６    下リンク
２７    支持リンク
３１    リフト用シリンダ
３２    ストッパ
３３    支軸
３４    延長部
３５    ダンプ用シリンダ
３６    支軸
３７    カバー
３８    開閉リンク
３８    開閉リンク
４１    リフト固定部
４２    固定ロッド
４３，４４    通孔
４５    掻出ロッド
４８    テーパ部材
４９    傾斜部
５１    コレクタ
５１ａ    前面
５４    支軸
５５    可動パネル
Ａ    モーアトラクタ
Ａ、Ｂ、Ｃ    高さ寸法
Ｌ１、Ｌ２、Ｌ３    支点距離
【図１】
2005102587.tif 000003
【図２】
2005102587.tif 000004
【図３】
2005102587.tif 000005
【図４】
2005102587.tif 000006
【図５】
2005102587.tif 000007
【図６】
2005102587.tif 000008
【図７】
2005102587.tif 000009
【図８】
2005102587.tif 000010